(57)【特許請求の範囲】
【請求項１】
ターゲットに液体を噴射する複数の液体噴射ヘッドと、前記各液体噴射ヘッドを支持した状態で前記ターゲットの搬送方向に沿って移動する移動手段と、該液体噴射ヘッド毎に個別に制御信号を出力して前記各液体噴射ヘッドの駆動を制御するための信号出力部とを備え、前記各液体噴射ヘッドは、該液体噴射ヘッド毎に個別に対応する信号線を介して前記信号出力部とそれぞれ電気的に接続されてなる液体噴射装置において、
前記信号出力部から前記各液体噴射ヘッドに入力される制御信号を前記液体噴射ヘッド毎に調整するための調整手段をさらに備え、
前記各信号線は、それぞれの長さが同一長さとなるようにそれぞれ形成され、前記各信号線には、信号線毎のインピーダンスの差を低減させるための差低減部が設けられており、該差低減部が、前記調整手段として機能し、
前記各信号線のうち少なくとも一本の信号線には、その一部に撓み部分が形成されており、該撓み部分が、前記差低減部として機能し、
前記撓み部分は、前記移動手段の移動経路の外側であって、且つ前記各信号線のうち前記移動手段の移動に基づく変位が規制された部分に配置され、
前記各信号線の長さは、前記各液体噴射ヘッドが前記移動手段によって移動する移動範囲において前記信号出力部から最も離間した最離間位置に配置された際に、前記各液体噴射ヘッドのうち最も前記信号出力部から離間した位置に位置する液体噴射ヘッドから前記信号出力部までの距離と同一の長さとされる液体噴射装置。
【発明の詳細な説明】
【技術分野】
【０００１】
本発明は、インクジェット式プリンタなどの液体噴射装置に関する。
【背景技術】
【０００２】
一般に、液体をターゲットに対して噴射する液体噴射装置として、インクジェット式プリンタ（以下、「プリンタ」という。）が広く知られている（例えば、特許文献１）。この特許文献１に記載のプリンタは、一般家庭用のプリンタであって、用紙（ターゲット）の搬送方向と直交する方向に移動可能な記録ヘッド（液体噴射ヘッド）と、プリンタの本体ケースに固定される制御基板（信号出力部）とを備えている。この制御基板からは、記録ヘッドに搭載された各駆動素子（例えば圧電素子）に対して駆動素子毎に個別対応する信号線を介して制御信号（パルス信号）がそれぞれ出力されるようになっている。その結果、各駆動素子が個別に駆動することにより、記録ヘッドからインク（液体）が用紙に対して噴射されるようになっている。
【０００３】
ところで、特許文献１に記載のプリンタでは、制御基板から各駆動素子までの各距離は、記録ヘッド内での駆動素子の配置位置によって異なる。そのため、上記各信号線の長さは、記録ヘッドが制御基板から最も離間した位置に配置された場合において制御基板から離れた位置の駆動素子に対する信号線のほうが制御基板に近い位置の駆動素子に対する信号線よりも長くなるようにそれぞれ調整されている。その結果、各信号線が本体ケース内において不必要に撓んでしまうことが抑制されていた。
【０００４】
また、近時では、連続紙である印刷テープ（ターゲット）に対してインク噴射を行うための業務用プリンタが提案されている。このような業務用プリンタは、千鳥状に配置された複数の単位ヘッド部からなる記録ヘッドと、記録ヘッドを支持した状態で印刷テープの搬送方向に沿って往復動するキャリッジ（移動手段）とを備えている。各単位ヘッド部は、本体ケースに固定される制御基板と単位ヘッド部毎に個別対応する信号線を介して電気的にそれぞれ接続されている。そして、キャリッジを前記搬送方向に往復動させつつ制御基板から各単位ヘッド部に制御信号が個別に入力されることにより、各単位ヘッド部から印刷テープに向けてインクが噴射されるようになっていた。
【特許文献１】特開２００４−１３０６２２号公報
【発明の開示】
【発明が解決しようとする課題】
【０００５】
ところで、業務用プリンタにおけるキャリッジ（各単位ヘッド部）の前記搬送方向における移動距離は、一般家庭用のプリンタに搭載された記録ヘッドの前記搬送方向と直交する方向への移動距離に比して非常に長い。そのため、業務用プリンタにおいて制御基板と各単位ヘッド部とを接続する各信号線は、一般家庭用のプリンタにおいて制御基板と各駆動素子とを接続する各信号線に比して非常に長くなってしまう。
【０００６】
しかしながら、業務用プリンタが、その各信号線の長さが各単位ヘッド部の配置位置に基づき調節された構成であるとすると、各信号線のうち比較的長い信号線と比較的短い信号線との長さの差が非常に大きくなり、信号線のインピーダンスが信号線毎に大きく異なってしまう。そのため、制御基板から出力されてから比較的長い信号線を介して単位ヘッド部に入力されるまでの制御信号の減衰量が、制御基板から出力されてから比較的短い信号線を介して単位ヘッド部に入力されるまでの制御信号の減衰量よりも多くなる。したがって、比較的長い信号線に電気的に接続された単位ヘッド部では、比較的短い信号線に電気的に接続された単位ヘッド部に比して、制御信号の減衰に起因して的確な駆動に支障をきたす可能性が高くなってしまう問題があった。
【０００７】
本発明は、このような事情に鑑みてなされたものであり、その目的は、入力された制御信号に基づき各液体噴射ヘッドを的確に駆動させることができる液体噴射装置を提供することにある。
【課題を解決するための手段】
【０００８】
上記目的を達成するために、本発明の液体噴射装置は、ターゲットに液体を噴射する複数の液体噴射ヘッドと、前記各液体噴射ヘッドを支持した状態で前記ターゲットの搬送方向に沿って移動する移動手段と、該液体噴射ヘッド毎に個別に制御信号を出力して前記各液体噴射ヘッドの駆動を制御するための信号出力部とを備え、前記各液体噴射ヘッドは、
該液体噴射ヘッド毎に個別に対応する信号線を介して前記信号出力部とそれぞれ電気的に接続されてなる液体噴射装置において、前記信号出力部から前記各液体噴射ヘッドに入力される制御信号を前記液体噴射ヘッド毎に調整するための調整手段をさらに備え、前記各信号線は、それぞれの長さが同一長さとなるようにそれぞれ形成され、前記各信号線には、信号線毎のインピーダンスの差を低減させるための差低減部が設けられており、該差低減部が、前記調整手段として機能し、前記各信号線のうち少なくとも一本の信号線には、その一部に撓み部分が形成されており、該撓み部分が、前記差低減部として機能し、前記撓み部分は、前記移動手段の移動経路の外側であって、且つ前記各信号線のうち前記移動手段の移動に基づく変位が規制された部分に配置され、前記各信号線の長さは、前記各液体噴射ヘッドが前記移動手段によって移動する移動範囲において前記信号出力部から最も離間した最離間位置に配置された際に、前記各液体噴射ヘッドのうち最も前記信号出力部から離間した位置に位置する液体噴射ヘッドから前記信号出力部までの距離と同一の長さとされる液体噴射装置。
【０００９】
上記構成では、各液体噴射ヘッドには、調整手段によって調整された制御信号が入力される。すなわち、各液体噴射ヘッドには、適切な制御信号が個別に入力される。そのため、入力された制御信号に基づき各液体噴射ヘッドを的確に駆動させることができる。
また、信号線に設けられた差低減部によって信号線毎のインピーダンスに差が生じることが抑制される。そのため、制御信号における信号線毎の減衰量の差が小さくなり、入力された制御信号に基づき各液体噴射ヘッドを的確に駆動させることができる。
また、信号線に撓み部分を形成することにより、各信号線の長さの差を短くできる。そのため、信号線毎のインピーダンスの差を小さくできる。
また、信号線の撓み部分が移動手段の移動を妨害することが抑制される。また、移動手段の移動時において各信号線のうち撓み部分よりも液体噴射ヘッド側の非撓み部分が、ばらばらに挙動することを抑制できる。
【発明を実施するための最良の形態】
【００１７】
（第１の実施形態）
以下、本発明の液体噴射装置をインクジェット式プリンタに具体化した一実施形態を図面に基づいて説明する。なお、以下の説明において、「前後方向」、「左右方向」、「上下方向」をいう場合は、図１及び図２に矢印で示した方向を基準として示すものとする。
【００１８】
図１に示すように、液体噴射装置としてのインクジェット式プリンタ１１は、長尺状のターゲットとしての連続紙１２を繰り出す繰り出し部１３と、該繰り出し部１３から繰り出された連続紙１２に順次印刷を行って乾燥する本体部１４と、該本体部１４で印刷が行われて乾燥された連続紙１２を巻き取る巻き取り部１５とを備えている。すなわち、本体部１４は直方体状の本体ケース１６を備えており、連続紙１２の搬送方向において上流側となる本体ケース１６の左側に繰り出し部１３が配設されるとともに下流側となる本体ケース１６の右側に巻き取り部１５が配設されている。
【００１９】
繰り出し部１３は本体ケース１６の左面下端部から左方に延びる支持板１７を備えており、該支持板１７の前面は鉛直面になっている。支持板１７の前面における先端部には前方（図１において紙面と直交する方向の手前側）に向かって延びる巻き軸１８が支持板１７に対して回転可能に支持されている。また、巻き軸１８の基端には、円板状の回転板１９が巻き軸１８と一体回転するように設けられている。
【００２０】
そして、巻き軸１８には予めロール状に巻かれた連続紙１２が該巻き軸１８と一体回転可能に支持されており、このロール状に巻かれた連続紙１２における両側縁のうち回転板１９側の側縁は回転板１９の前面に当接している。すなわち、巻き軸１８に予めロール状に巻かれた連続紙１２を支持させた際に、このロール状に巻かれた状態の連続紙１２における一方の側縁が回転板１９の前面に当接することで、連続紙１２の搬送方向と直交する前後方向での位置決めがなされるようになっている。なお、本実施形態の連続紙１２には光沢紙が用いられている。
【００２１】
図１及び図２に示すように、繰り出し部１３は本体ケース１６の左面中央部から左方に向かって水平に延びる平板状の繰り出し台２０を備えており、該繰り出し台２０の先端部には巻き軸１８から繰り出される連続紙１２を巻き掛けて繰り出し台２０の上面に導くための中継ローラ２１が回転可能に設けられている。
【００２２】
図２に示すように、繰り出し台２０の上面における後端縁には、左右方向に沿って延びる細長いブロック状のガイド手段としてのガイド部２４が、該後端縁のほぼ全体にわたって設けられている。さらに、繰り出し台２０の上面には、ガイド部２４の左端部と対向するように配置されたガイド手段としてのガイドブロック２５が設けられている。繰り出し台２０の上面におけるガイド部２４とガイドブロック２５との間の領域は連続紙１２の搬送経路の一部になっており、ガイド部２４とガイドブロック２５とは連続紙１２の前後方向の幅と同じ距離だけ離間している。
【００２３】
そして、繰り出し台２０の上面に沿って連続紙１２が右側（本体部１４側）に向かって搬送される際には、連続紙１２の前後の側縁がガイド部２４及びガイドブロック２５に対して摺動することで、連続紙１２が搬送方向（ここでは右方向）に沿ってガイドされるようになっている。なお、繰り出し台２０の上面においてガイドブロック２５は前後方向に移動可能になっており、連続紙１２の前後方向の幅が変更された場合には、ガイドブロック２５を移動させることで、ガイド部２４とガイドブロック２５との間の距離が連続紙１２の前後方向の幅に合わせて変更される。
【００２４】
図１に示すように、本体部１４の本体ケース１６内における上下方向の中央部よりもやや上寄りの位置には、本体ケース１６内を上下に区画する平板状の基台３０が設けられており、本体ケース１６内における基台３０よりも上側の領域は連続紙１２に印刷を行うための印刷室３１となっている。一方、本体ケース１６内における基台３０よりも下側の領域には、左右方向に並ぶように区画された３つの区画室３３，３４，３５が形成されている。なお、これら３つの区画室は、左から順に第１区画室３３、第２区画室３４、第３区画室３５とされている。
【００２５】
本体ケース１６の左壁には繰り出し台２０の上面から第１区画室３３内に連続紙１２を搬入するための図示しない搬入口が設けられており、第１区画室３３には上記搬入口と近接位置で対向するように引き込み駆動ローラ３６が回転駆動可能に設けられている。すなわち、引き込み駆動ローラ３６は、第１区画室３３の左端部に配設されている。
【００２６】
また、第１区画室３３内における引き込み駆動ローラ３６の右方には中継ローラ４０が回転可能に設けられている。そして、引き込み駆動ローラ３６の駆動によって第１区画室３３内に引き込まれた連続紙１２は、印刷室３１の左端部寄りの位置に向かうように中継ローラ４０に巻き掛けられている。
【００２７】
第１区画室３３内における引き込み駆動ローラ３６と中継ローラ４０との間には図示しない昇降機構の駆動に基づき昇降移動する昇降ローラ４２が設けられている。そして、この昇降ローラ４２に対しては連続紙１２が下側から巻き掛けられている。
【００２８】
ここで、引き込み駆動ローラ３６と中継ローラ４０との間に位置する連続紙１２の長さは、昇降ローラ４２が下降するほど長くなるとともに、昇降ローラ４２が上昇するほど短くなるようになっている。すなわち、昇降ローラ４２が下側に位置するほど引き込み駆動ローラ３６と中継ローラ４０との間の連続紙１２の搬送距離が長くなるとともに、昇降ローラ４２が上側に位置するほど引き込み駆動ローラ３６と中継ローラ４０との間の連続紙１２の搬送距離が短くなるようになっている。
【００２９】
図１に示すように、基台３０における中継ローラ４０と対向する位置には、該基台３０を上下に貫通するように、連続紙１２を搬送方向（ここでは上方向）に沿ってガイドするガイド装置４３が設けられている。印刷室３１内におけるガイド装置４３の上側には中継ローラ４６が設けられており、該中継ローラ４６には連続紙１２が左側下方から巻き掛けられて右方向に水平に搬送されるようになっている。
【００３０】
印刷室３１内における中継ローラ４６の右側の領域には、基台３０上に支持された矩形板状の支持部材としてのプラテン４８が設けられている。プラテン４８の右側には、該プラテン４８を挟んで中継ローラ４６と対向するように転換ローラ４９が設けられている。この場合、中継ローラ４６の上面、プラテン４８の上面、及び転換ローラ４９の上面は、互いに面一になっている。
【００３１】
転換ローラ４９には中継ローラ４６からプラテン４８の上面に沿って水平右方向に搬送される連続紙１２が左側上方から巻き掛けられて連続紙１２の搬送方向が水平右方向から鉛直下方向に転換されている。そして、転換ローラ４９によって搬送方向が鉛直下方向に転換された連続紙１２は、基台３０に設けられた図示しない挿通孔を通って第３区画室３５内に搬送されるようになっている。
【００３２】
印刷室３１内におけるプラテン４８の前後両側には左右方向に延びるガイドレール５０（図１では二点鎖線で示す）が対をなすように設けられており、該ガイドレール５０の上面はプラテン４８の上面よりも高くなっている。両ガイドレール５０の上面には、矩形板状のキャリッジ５１が該両ガイドレール５０に沿って左右方向へ往復移動可能な状態で支持されている。そして、キャリッジ５１は、図示しない駆動機構の駆動に基づき両ガイドレール５０上を左右方向に移動するようになっている。
【００３３】
図１及び図２に示すように、キャリッジ５１の下面には、矩形板状のスライド板５３が該キャリッジ５１に対して前後方向にスライド移動可能に支持されている。スライド板５３の下面には、記録ヘッド５４が支持されている。また、印刷室３１内における本体ケース１６の後壁上部には、液体としてのインクを一時貯留する複数のバルブユニット５５が設けられている。各バルブユニット５５には、互いに色の異なるインクが一時貯留されている。
【００３４】
そして、各バルブユニット５５は、記録ヘッド５４とそれぞれ図示しないインク供給チューブを介して接続されており、該各インク供給チューブを介して記録ヘッド５４に各インクを供給するようになっている。記録ヘッド５４の下面には図示しない複数のノズル開口が設けられており、各バルブユニット５５から供給されたインクを該各ノズル開口からプラテン４８上に搬送されて停止された状態の連続紙１２に向かって噴射することで印刷が行われるようになっている。
【００３５】
したがって、連続紙１２の搬送経路の途中位置であって連続紙１２の印刷が行われるプラテン４８の左端から右端までの領域は液体噴射領域としての印刷領域Ａとされており、連続紙１２は該連続紙１２の搬送経路を印刷領域Ａ単位で間欠的に搬送されるようになっている。
【００３６】
なお、本体ケース１６内には、互いに色の異なるインクを収容した複数のインクカートリッジ（図示略）が着脱自在な状態で設けられている。これら各インクカートリッジ（図示略）は、図示しないインク供給チューブを介して各バルブユニット５５とインク供給可能な状態でそれぞれ接続されている。また、本体ケース１６内には、各インクカートリッジ（図示略）内を加圧するための加圧ポンプ（図示略）が設けられており、該加圧ポンプを駆動させることで各インクカートリッジ（図示略）内のインクがインク供給チューブ（図示略）を介して各バルブユニット５５にそれぞれ加圧供給されるようになっている。
【００３７】
基台３０上におけるプラテン４８の左右両側には、印刷途中に適宜フラッシングを行う際に、記録ヘッド５４の各ノズル開口（図示略）から吐出されるインクを受容するためのフラッシングボックス５８が設けられている。また、基台３０上における左側のフラッシングボックス５８の左側には、記録ヘッド５４のクリーニング等のメンテナンスを行うためのメンテナンスユニット５９が設けられている。メンテナンスユニット５９は、記録ヘッド５４と対応するキャップ５９ａを備えており、該キャップ５９ａは昇降可能になっている。
【００３８】
キャップ５９ａ内は、図示しない排出チューブを介して図示しない廃液タンク内と連通している。また、排出チューブの途中位置には該排出チューブ内をキャップ５９ａ側から廃液タンク（図示略）側に向かって吸引可能な図示しないチューブポンプが設けられている。そして、メンテナンスユニット５９上にキャリッジ５１を移動させた状態でキャップ５９ａを上昇させると、キャップ５９ａが、記録ヘッド５４の各ノズル開口（図示略）を囲うように、記録ヘッド５４に対して当接するようになっている。
【００３９】
そして、キャップ５９ａを記録ヘッド５４の各ノズル開口（図示略）を囲うように記録ヘッド５４に対して当接させた状態でチューブポンプ（図示略）を駆動することで、記録ヘッド５４の各ノズル開口から増粘したインクや気泡をキャップ５９ａ内に強制的に排出させる、いわゆるクリーニングが行われるようになっている。なお、クリーニングによってキャップ５９ａ内に排出された排出インクは排出チューブ（図示略）を介して廃液タンク（図示略）内に回収されるようになっている。
【００４０】
図１に示すように、第３区画室３５内における左寄りの位置には印刷領域Ａで印刷された後の連続紙１２を強制的に乾燥させるための強制乾燥手段としての上下に長い強制乾燥装置６０が設けられている。そして、転換ローラ４９に巻き掛けられて鉛直下方に搬送された連続紙１２は、強制乾燥装置６０内を通って該強制乾燥装置６０の下側に回転可能に設けられた反転ローラ６１に左側上方から巻き掛けられてやや右斜め上方に向かって搬送されるようになっている。
【００４１】
このように、連続紙１２の搬送経路の途中位置であって連続紙１２の強制乾燥が行われる強制乾燥装置６０内の上端から下端までの領域は強制乾燥領域Ｂとされている。そして、連続紙１２の搬送方向（ここでは上下方向）における強制乾燥領域Ｂの距離は、連続紙１２の搬送方向（ここでは左右方向）における印刷領域Ａの距離の正の整数倍（本実施形態では１倍）となるように設定されている。ちなみに、本実施形態では、連続紙１２の搬送方向において、強制乾燥領域Ｂの距離と印刷領域Ａの距離とは等しくなるように設定されている。
【００４２】
また、連続紙１２の搬送経路の途中位置であって印刷領域Ａと強制乾燥領域Ｂとの間で連続紙１２が転換ローラ４９に巻き掛けられる領域は、印刷領域Ａで印刷された後の連続紙１２が強制乾燥領域Ｂで強制乾燥される前に自然乾燥される領域となるため、自然乾燥領域Ｃとされている。なお、本実施形態では、強制乾燥領域Ｂと自然乾燥領域Ｃとにより乾燥領域が構成されている。
【００４３】
反転ローラ６１から右斜め上方に向かって搬送された連続紙１２は、第３区画室３５内における右下端部に回転可能に設けられた中継ローラ６２に左側下方から巻き掛けられ、第３区画室３５内を本体ケース１６の右壁に沿うように上方に向かって搬送されるようになっている。第３区画室３５内における反転ローラ６１と中継ローラ６２との間の位置には、強制乾燥領域Ｂで強制乾燥された後の連続紙１２に張力を付与するように該連続紙１２を下側から押圧するダンサーローラ９３が設けられている。
【００４４】
また、本体ケース１６の右壁における第３区画室３５の上端部と対応する位置には連続紙１２を巻き取り部１５側へ搬出するための図示しない搬出口が設けられており、第３区画室３５には上記搬出口と近接位置で対向するように送り出し駆動ローラ６４が回転駆動可能に設けられている。そして、この送り出し駆動ローラ６４を駆動することで、連続紙１２が上記搬出口を介して巻き取り部１５側へ送り出されるようになっている。
【００４５】
図１に示すように、巻き取り部１５は直方体状の巻き取りフレーム６８を備えており、巻き取りフレーム６８の高さは送り出し駆動ローラ６４の高さとほぼ同じになっている。巻き取りフレーム６８の前面における上端部には中継ローラ６９が回転可能に設けられている。上記搬出口から送り出される連続紙１２は、中継ローラ６９に左側上方から巻き掛けられ、真下に向かって搬送されるようになっている。
【００４６】
巻き取りフレーム６８の前面における中継ローラ６９の下側の位置には、中継ローラ６９から真下に向けて搬送された連続紙１２を搬送方向（ここでは下方向）に沿ってガイドするガイド装置７２が設けられている。巻き取りフレーム６８の前面におけるガイド装置７２の下側の位置には中継ローラ７３が回転可能に設けられており、ガイド装置７２を介して下方に搬送ガイドされる連続紙１２は中継ローラ７３に左側から巻き掛けられて右斜め下方に向かって搬送されるようになっている。
【００４７】
巻き取りフレーム６８の前面における中継ローラ７３の右斜め下方には前方に向かって延びる巻き取り駆動軸７４が巻き取りフレーム６８に対して回転駆動可能に支持されている。巻き取り駆動軸７４には中継ローラ７３から右斜め下方に向かって搬送された連続紙１２が巻き付けられており、該巻き取り駆動軸７４を回転駆動することで巻き取り駆動軸７４に連続紙１２が順次巻き取られるようになっている。
【００４８】
巻き取り駆動軸７４の基端には該巻き取り駆動軸７４と一体に回転する円板状の回転板７５が設けられており、該回転板７５は巻き取り駆動軸７４で連続紙１２を巻き取る際に、連続紙１２が正確に巻き取られるようにするためのガイドとして機能するようになっている。
【００４９】
次に、本実施形態の記録ヘッド５４の構成について図３（ａ）（ｂ）に基づき以下説明する。
図３（ａ）（ｂ）に示すように、記録ヘッド５４は、千鳥状に配置された複数（図３（ａ）（ｂ）では５つのみ図示）の液体噴射ヘッドとしての単位ヘッド部（可動部）５４Ａを備えている。これら各単位ヘッド部５４Ａは、その駆動が図示しない制御部によって個別に制御されるようになっている。また、各単位ヘッド部５４Ａには、各バルブユニット５５からインク供給チューブ（図示略）を介して各インクが供給されるようになっている。
【００５０】
次に、キャリッジ５１に支持される各単位ヘッド部５４Ａに制御信号を出力するための制御基板について図３（ａ）（ｂ）に基づき以下説明する。
図３（ａ）（ｂ）に示すように、固定部としての制御基板８０は、本体ケース１６の後面に支持固定されており、単位ヘッド部５４Ａ毎に個別対応する線材としての信号線８１（図３では４本のみ図示）を介して各単位ヘッド部５４Ａと電気的に接続されている。これら各信号線８１における制御基板８０と単位ヘッド部５４Ａとの中途部位は、結束部材８２にて束ねられている。なお、この結束部材８２は、図示しない連結部材を介して本体ケース１６に支持固定されており、各信号線８１のうち結束部材８２よりも制御基板８０側の部分は、キャリッジ５１が移動しても変位することがそれぞれ規制される。
【００５１】
制御基板８０は、図示しない制御部からの制御指令に応じた制御信号（本実施形態ではパルス信号）を生成し、その制御信号を各単位ヘッド部５４Ａに向けて出力するようになっている。したがって、本実施形態では、制御基板８０により、単位ヘッド部５４Ａ毎に個別に制御信号を出力して各単位ヘッド部５４Ａの駆動を制御するための信号出力部が構成されている。
【００５２】
本実施形態の各信号線８１は、抵抗率が同一の材料からそれぞれ構成されると共に、それぞれの断面積が略同一断面積となるようにそれぞれ形成されている。そして、各信号線８１は、図示しない絶縁材料にてそれぞれ被覆されている。また、各信号線８１は、それぞれの長さが同一長さとなるようにそれぞれ形成されている。そして、各信号線８１の長さは、キャリッジ５１が左右方向において制御基板８０（詳しくは、制御基板８０において各信号線８１が接続された部位）から最も離間した最離間位置（例えば、メンテナンスユニット５９の直上位置）に配置された場合において、各単位ヘッド部５４Ａのうち最も制御基板８０から離間した位置に位置する単位ヘッド部５４Ａから制御基板８０までの距離（「最離間距離」ともいう。）と略同一の長さとなっている。なお、各信号線８１の長さは、最離間距離に相当する長さよりも長くてもよい。
【００５３】
そのため、制御基板８０から最も離間した位置に位置する単位ヘッド部５４Ａに電気的に接続された信号線８１には撓みがほとんどない一方、該信号線８１以外の信号線８１には、それぞれの長さが制御基板８０から単位ヘッド部５４Ａまでの距離（長さ）よりも長いため、それぞれの結束部材８２よりも制御基板８０側の部分に撓み部分８３がそれぞれ形成されるようになっている。
【００５４】
すなわち、各信号線８１のうちキャリッジ５１が上記最離間位置に配置された状態で最も制御基板８０から離間した位置に位置する単位ヘッド部５４Ａに電気的に接続された信号線８１以外の各信号線８１には、キャリッジ５１の左右方向における配置位置に関係なく撓み部分８３が形成されるようになっている。したがって、本実施形態では、各撓み部分８３により、信号線８１毎のインピーダンスの差を低減させる差低減部が構成されている。
【００５５】
その結果、各単位ヘッド部５４Ａには、制御基板８０が各単位ヘッド部５４Ａに対して同一の制御信号を出力した場合、信号線８１に形成される撓み部分８３により各信号線８１のインピーダンスが調整されているため、同程度だけ減衰した制御信号がそれぞれ入力される。すると、各単位ヘッド部５４Ａからは、入力された制御信号に基づいた種類のインクがそれぞれ噴射される。したがって、本実施形態では、各撓み部分８３により、制御基板８０から各単位ヘッド部５４Ａに入力される制御信号を単位ヘッド部５４Ａ毎に調整するための調整手段が構成されている。
【００５６】
また、各信号線８１に形成される各撓み部分８３は、結束部材８２によって該結束部材８２よりも単位ヘッド部５４Ａ側への変位がそれぞれ規制される。そのため、各撓み部分８３がキャリッジ５１の移動経路８４（図３（ａ）（ｂ）にて一点鎖線よりも前側となる領域）上に変位してしまうことは、規制される。また、各信号線８１のうち結束部材８２よりも制御基板８０側の部分は、キャリッジ５１が移動しても変位することなく固定される。すなわち、各信号線８１の撓み部分８３は、それぞれの状態（形状など）が変わってしまうことはない。さらに、各信号線８１のうち結束部材８２よりも各単位ヘッド部５４Ａ側の部分は、互いに接近した状態になるため、各信号線８１は、あたかも１本の信号線のように挙動する。そのため、キャリッジ５１の移動時に各信号線８１がばらばらに挙動することが回避される。その結果、各信号線８１がばらばらに挙動する場合とは異なり、各信号線８１の挙動によってキャリッジ５１の移動が不安定になることが回避される。
【００５７】
したがって、本実施形態では、以下に示す効果を得ることができる。
（１）各信号線８１に形成される撓み部分８３が差低減部として機能するため、各信号線８１のインピーダンスは、同程度になる。すなわち、信号線８１毎に生じる制御信号の減衰量の差は、ほとんど無くなる。したがって、入力された制御信号に基づき各単位ヘッド部５４Ａを的確に駆動させることができる。
【００５８】
（２）各信号線８１の長さは、キャリッジ５１が上記最離間位置に配置された場合において、各単位ヘッド部５４Ａのうち最も制御基板８０から離間した位置に位置する単位ヘッド部５４Ａから制御基板８０までの距離と略同一の長さ（又は以上の長さ）に設定されている。そのため、各信号線８１の長さが各単位ヘッド部５４Ａのうち最も制御基板８０から離間した位置の単位ヘッド部５４Ａから制御基板８０までの距離よりも十分に長い場合とは異なり、各信号線８１が必要以上に撓んでしまうことを抑制できる。
【００５９】
（３）各信号線８１に形成された撓み部分８３は、キャリッジ５１の移動経路８４外に位置する。そのため、各信号線８１に形成された撓み部分８３が、キャリッジ５１の移動を妨害してしまうことを回避できる。
【００６０】
（４）しかも、撓み部分８３は、各信号線８１のうち結束部材８２よりも制御基板８０側に形成されるため、キャリッジ５１の移動中に撓み部分８３がキャリッジ５１の移動経路８４内に変位してしまうことを結束部材８２により規制できる。
【００６１】
（第２の実施形態）
次に、本発明の第２の実施形態を図４及び図５に従って説明する。なお、第２の実施形態は、各信号線８１の長さ、及び制御基板８０から出力される制御信号が第１の実施形態と異なっている。したがって、以下の説明においては、第１の実施形態と相違する部分について主に説明するものとし、第１の実施形態と同一又は相当する部材構成には同一符号を付して重複説明を省略するものとする。
【００６２】
図４に示すように、本実施形態の各信号線８１（図４では４本のみ図示）の長さは、キャリッジ５１が上記最離間位置に配置された場合において、制御基板８０から比較的遠い位置の単位ヘッド部５４Ａに電気的に接続された信号線８１のほうが、制御基板８０に比較的近い位置の単位ヘッド部５４Ａに電気的に接続された信号線８１よりも長くなるようにそれぞれ設定されている。すなわち、本実施形態の各信号線８１は、キャリッジ５１での各単位ヘッド部５４Ａの配置態様に応じてインピーダンスがそれぞれ異なっている。
【００６３】
なお、本実施形態では、各単位ヘッド部５４Ａは、それぞれに電気的に接続される信号線８１の長さに応じて複数（本実施形態では３つ）のグループに分類されている。具体的には、各信号線８１のうち長さが比較的短い信号線８１に電気的に接続された単位ヘッド部５４Ａのグループを第１グループＧ１（図５（ａ）参照）という共に、各信号線８１のうち長さが中程度の信号線８１に電気的に接続された単位ヘッド部５４Ａのグループを第２グループＧ２（図５（ｂ）参照）というものとする。さらに、各信号線８１のうち長さが比較的長い信号線８１に電気的に接続された単位ヘッド部５４Ａのグループを第３グループＧ３（図５（ｃ）参照）というものとする。
【００６４】
次に、本実施形態の制御基板８０から各単位ヘッド部５４Ａに向けて出力される制御信号について図５（ａ）（ｂ）（ｃ）に基づき以下説明する。
図５（ａ）（ｂ）（ｃ）に示すように、各単位ヘッド部５４Ａに全て同じように駆動させる場合、制御基板８０では、電気的に接続された信号線８１の長さに応じた制御信号を単位ヘッド部５４Ａ毎に出力するようになっている。具体的には、制御基板８０から第１グループＧ１に分類される単位ヘッド部５４Ａに向けて出力する制御信号（以下、「第１制御信号」という。）の幅Ｗ１は、他のグループＧ２，Ｇ３に分類される単位ヘッド部５４Ａに向けて出力する制御信号の幅Ｗ２，Ｗ３よりも幅広となる。また、第１制御信号の大きさＩ１は、他のグループＧ２，Ｇ３に分類される単位ヘッド部５４Ａに向けて出力する制御信号の大きさＩ２，Ｉ３よりも小さい。
【００６５】
また、制御基板８０から第２グループＧ２に分類される単位ヘッド部５４Ａに向けて出力する制御信号（以下、「第２制御信号」という。）の幅Ｗ２は、第３グループＧ３に分類される単位ヘッド部５４Ａに向けて出力する制御信号（以下、「第３制御信号」という。）の幅Ｗ３よりも幅広となる。また、第２制御信号の大きさＩ２は、第３制御信号の大きさＩ３よりも小さい。
【００６６】
そして、制御基板８０から各単位ヘッド部５４Ａに向けて出力された各制御信号は、信号線８１を介して各単位ヘッド部５４Ａに入力されるまでに、信号線８１の長さ（即ち、信号線８１のインピーダンス）に応じた量だけ減衰してしまう。その結果、各単位ヘッド部５４Ａには、制御基板８０から各単位ヘッド部５４Ａに向けて出力される制御信号の幅や大きさが異なっても、略同一幅であって且つ略同一の大きさの制御信号が入力される。したがって、本実施形態では、制御基板８０により、各単位ヘッド部５４Ａに入力される制御信号を単位ヘッド部５４Ａ毎に調整する調整手段が構成されている。
【００６７】
したがって、本実施形態では、以下に示す効果を得ることができる。
（６）制御基板８０から単位ヘッド部５４Ａに向けて出力される制御信号は、信号線８１での制御信号の減衰を見越したものとなっている。そのため、制御基板８０から信号線８１を介して単位ヘッド部５４Ａに入力されるまでに制御信号が減衰したとしても、単位ヘッド部５４Ａには、適切な制御信号が入力される。したがって、入力された制御信号に基づき各単位ヘッド部５４Ａを的確に駆動させることができる。
【００６８】
なお、上記各実施形態は以下のような別の実施形態に変更してもよい。
・上記第２の実施形態において、制御基板８０から各単位ヘッド部５４Ａに向けて出力される制御信号を、単位ヘッド部５４Ａ毎に幅や大きさを調整してもよい。
【００６９】
・上記第２の実施形態において、制御基板８０から各単位ヘッド部５４Ａに出力される制御信号は、信号線８１の長さが長いほど幅狭になるように設定されているのであれば、信号線８１の長さに関係なく大きさを一定にしてもよい。
【００７０】
・上記第１の実施形態において、各信号線８１を束ねるための結束部材８２を設けなくてもよい。この場合、各信号線８１を、個別に本体ケース１６に支持固定させることが望ましい。
【００７１】
・上記第１の実施形態において、各信号線８１の長さは、キャリッジ５１が最離間位置に配置された場合において、各単位ヘッド部５４Ａのうち最も制御基板８０から離間した位置に位置する単位ヘッド部５４Ａから制御基板８０までの距離よりも長いのであれば任意の長さであってもよい。この場合、全ての信号線８１には、キャリッジ５１の左右方向における配置位置に関係なく、撓み部分８３が形成されることになる。
【００７２】
・上記第１の実施形態において、各信号線８１の一部は、残りの信号線８１よりも長い構成であってもよい。この場合、長い信号線８１は、複数本であってもよい。例えば、第１の長さの複数本（例えば５本）の信号線８１と、第２の長さ（＞第１の長さ）の複数本（例えば５本）の信号線８１とを備えた構成であってもよい。
【００７３】
・上記第１の実施形態において、各信号線８１は、制御基板８０から単位ヘッド部５４Ａまでの距離に応じた長さにそれぞれ形成されてもよい。ただし、各信号線８１は、それぞれの断面積が信号線８１の長さが長いほど広くなるようにそれぞれ形成されることが望ましい。この場合、各信号線８１が、差低減部として機能すると共に、調整手段として機能することになる。
【００７４】
・上記各実施形態において、使用されるインクが紫外線効果タイプのインクである場合には、強制乾燥装置６０として紫外線照射装置を設けてもよい。
・上記各実施形態において、連続紙１２の代わりに、長尺状のプラスチックフィルムなどをターゲットとして用いてもよい。
【００７５】
・上記各実施形態では、液体噴射装置をインクジェット式プリンタ１１に具体化したが、この限りではなく、インク以外の他の液体（機能材料の粒子が液体に分散又は混合されてなる液状体、ゲルのような流状体を含む）を噴射したり吐出したりする液体噴射装置に具体化することもできる。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液体（液状体）を噴射する液体噴射装置、バイオチップ製造に用いられる生体有機物を噴射する液体噴射装置、精密ピペットとして用いられ試料となる液体を噴射する液体噴射装置であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置、ゲル（例えば物理ゲル）などの液体（流状体）を噴射する液体噴射装置であってもよい。そして、これらのうちいずれか一種の液体噴射装置に本発明を適用することができる。
【００７６】
・上記第１の実施形態において、固定部は、各バルブユニット５５から構成されたインクジェット式プリンタ１１に具体化してもよい。この場合、各バルブユニット５５と可動部である各単位ヘッド部５４Ａとを連結するインク供給チューブが線材として機能することになる。また、各インク供給チューブを、バルブユニット５５と単位ヘッド部５４Ａとの間の中途部位で束ねる結束部材を設けることが望ましい。さらに、各インク供給チューブを、上記結束部材よりもバルブユニット５５側で撓ませることが望ましい。このように構成すると、各インク供給チューブの撓み部分が、キャリッジ５１の移動経路８４外に位置することになるため、各インク供給チューブの撓み部分がキャリッジ５１の移動を妨害してしまうことを抑制できる。
【図面の簡単な説明】
【００７７】
【図１】第１の実施形態におけるインクジェット式プリンタの概略正面図。
【図２】第１の実施形態におけるインクジェット式プリンタの概略平面図。
【図３】（ａ）（ｂ）は第１の実施形態において制御基板と各単位ヘッド部との接続状態を示すブロック図。
【図４】第２の実施形態において制御基板と各単位ヘッド部との接続状態を示すブロック図。
【図５】（ａ）（ｂ）（ｃ）は各グループに分類された単位ヘッド部に向けて制御基板から出力される制御信号を示すタイミングチャート。
【符号の説明】
【００７８】
１１…液体噴射装置としてのインクジェット式プリンタ、１２…ターゲットしての連続紙、５１…移動手段としてのキャリッジ、５４Ａ…液体噴射ヘッドとしての単位ヘッド部、８０…信号出力部としての制御基板、８１…調整手段としての信号線、８３…調整手段、差低減部としての撓み部分、８４…移動経路、Ｉ１〜Ｉ３…制御信号の大きさ、Ｗ１〜Ｗ３…制御信号の幅。
【図１】
0005205893.tif 000002
【図２】
0005205893.tif 000003
【図３】
0005205893.tif 000004
【図４】
0005205893.tif 000005
【図５】
0005205893.tif 000006